(57)【要約】【課題】コンデンサの近傍に温度センサを新たに設けることなく、コンデンサの寿命を監視することができるエレベータの制御装置を提供する。【解決手段】エレベータの制御装置は、エレベータに電力を供給するインバータに設けられた温度センサが検出した温度を基づいて前記コンデンサの温度を演算し、前記コンデンサの温度に基づいて前記コンデンサの寿命を演算する演算装置、を備えた。当該構成を備えることにより、コンデンサの近傍に温度センサを新たに設けることなく、コンデンサの寿命を監視することができるエレベータの制御装置を提供する。【選択図】図１
2014234284.tif 000002
【特許請求の範囲】
【請求項１】
エレベータに電力を供給するインバータに設けられた温度センサが検出した温度に基づいて前記エレベータのコンデンサの温度を演算し、前記コンデンサの温度に基づいて前記コンデンサの寿命を演算する演算装置、
を備えたエレベータの制御装置。
【請求項２】
前記演算装置は、前記エレベータの運転モードに基づいて前記コンデンサの温度を演算する請求項１に記載のエレベータの制御装置。
【請求項３】
前記インバータの温度と前記コンデンサの温度とを対応付けて記憶した記憶装置、
を備え、
前記演算装置は、前記温度センサが検出した温度に対応した前記コンデンサの温度を前記記憶装置から抽出し、抽出した温度に基づいて前記コンデンサの寿命を演算する請求項１又は請求項２に記載のエレベータの制御装置。
【請求項４】
前記演算装置は、前記エレベータの負荷の状態に基づいて前記コンデンサの温度を補正する請求項１〜請求項３のいずれか一項に記載のエレベータの制御装置。
【請求項５】
前記演算装置は、停電発生時から復帰までの時間に基づいて前記コンデンサの温度を補正する請求項１〜請求項４のいずれか一項に記載のエレベータの制御装置。
【発明の詳細な説明】
【技術分野】
【０００１】
この発明は、エレベータの制御装置に関する。
【背景技術】
【０００２】
例えば、特許文献１には、コンデンサの近傍に温度センサを設けた寿命監視装置が提案されている。当該寿命監視装置によれば、温度センサの検出値に基づいてコンデンサの寿命を監視することができる。
【先行技術文献】
【特許文献】
【０００３】
【特許文献１】特開２０１０−０３８６７１号公報
【特許文献２】特開平３−２６１８７７号公報
【発明の概要】
【発明が解決しようとする課題】
【０００４】
しかしながら、当該寿命監視装置をエレベータの制御装置に適用するためには、コンデンサの近傍に温度センサを新たに設けなければならない。
【０００５】
この発明は、上述の課題を解決するためになされた。この発明の目的は、コンデンサの近傍に温度センサを新たに設けることなく、コンデンサの寿命を監視することができるエレベータの制御装置を提供することである。
【課題を解決するための手段】
【０００６】
この発明に係るエレベータの制御装置は、エレベータに電力を供給するインバータに設けられた温度センサが検出した温度に基づいて前記エレベータのコンデンサの温度を演算し、前記コンデンサの温度に基づいて前記コンデンサの寿命を演算する演算装置、を備えた。
【発明の効果】
【０００７】
この発明によれば、コンデンサの近傍に温度センサを新たに設けることなく、コンデンサの寿命を監視することができる。
【図面の簡単な説明】
【０００８】
【図１】この発明の実施の形態１におけるエレベータの制御装置を利用したエレベータの構成部である。
【図２】この発明の実施の形態１におけるエレベータの制御装置を利用したエレベータの第１電解コンデンサ〜第３電解コンデンサの温度を説明するための図である。
【図３】この発明の実施の形態１におけるエレベータの制御装置に記憶された温度テーブルを説明するための図である。
【図４】この発明の実施の形態２におけるエレベータの制御装置に記憶された温度テーブルを説明するための図である。
【図５】この発明の実施の形態３におけるエレベータの制御装置を利用したエレベータの構成部である。
【図６】この発明の実施の形態３におけるエレベータの制御装置を利用したエレベータの第１電解コンデンサ〜第３電解コンデンサの温度を説明するための図である。
【図７】この発明の実施の形態３におけるエレベータの制御装置に記憶された温度テーブルを説明するための図である。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１におけるエレベータの制御装置を利用したエレベータの構成部である。
【００１１】
図１において、商用電源１の出力側には、コンバータ２の入力側が接続される。コンバータ２の出力側には、直流母線３の入力側が接続される。直流母線３の間には、第１電解コンデンサ４が接続される。直流母線３の出力側には、インバータ５の入力側が接続される。インバータ５の出力側には、電動機６が接続される。
【００１２】
電動機６の出力軸には、図示しない綱車が取り付けられる。綱車には、図示しないロープが巻き掛けられる。ロープの一側には、図示しないかごが吊るされる。ロープの他側には、図示しない釣り合いおもりが吊るされる。
【００１３】
第１制御電源７と接地との間には、負荷Ａ８と負荷Ｂ９と第２電解コンデンサ１０が並列に接続される。負荷Ａ８と負荷Ｂ９とは、エレベータドアを動作させる際の負荷である。第２制御電源１１と接地との間には、負荷α１２と負荷β１３と第３電解コンデンサ１４が並列に接続される。負荷α１２と負荷β１３は、エレベータドア以外の機器を動作させる際の負荷である。
【００１４】
インバータ５には、温度センサ１５が設けられる。温度センサ１５の出力側には、制御装置１６が接続される。制御装置１６は、記憶装置１６ａ、演算装置１６ｂ、表示器１６ｃ、遠隔装置１６ｄを備える。
【００１５】
温度センサ１５は、インバータ５の素子の温度を検出する。インバータ５の素子の温度が予め設定された温度を超えた場合、インバータ５への電力供給が遮断される。インバータ５の素子の温度が予め設定された温度を超えていない場合、インバータ５への電力供給が遮断されない。
【００１６】
この際、演算装置１６ｂは、第１電解コンデンサ４〜第３電解コンデンサ１４の温度を演算する。例えば、演算装置１６ｂは、温度センサ１５が検出した温度に対応した第１電解コンデンサ４〜第３電解コンデンサ１４の温度を記憶装置１６ａに記憶された記憶テーブルから抽出する。
【００１７】
エレベータの運転モードが通常運転モードの際、演算装置１６ｂは、次の（１）式を用いて第１電解コンデンサ４の温度を演算する。
【００１８】
ＴＣ１（ｎ+１）＝ＴＣ１（ｎ）＋ΔｋＣ１      （１）
【００１９】
だだし、ΔｋＣ１は、第１電解コンデンサ４の温度上昇値である。
【００２０】
エレベータの運転モードが通常運転モードの際、演算装置１６ｂは、次の（２）式を用いて第２電解コンデンサ１０の温度を演算する。
【００２１】
ＴＣ２（ｎ+１）＝ＴＣ２（ｎ）＋ΔｋＣ２      （２）
【００２２】
だだし、ΔｋＣ２は、第２電解コンデンサ１０の温度上昇値である。
【００２３】
エレベータの運転モードが通常運転モードの際、演算装置１６ｂは、次の（３）式を用いて第３電解コンデンサ１４の温度を演算する。
【００２４】
ＴＣ３（ｎ+１）＝ＴＣ３（ｎ）＋ΔｋＣ３      （３）
【００２５】
だだし、ΔｋＣ３は、第３電解コンデンサ１４の温度上昇値である。
【００２６】
エレベータの運転モードが休止モードの際、演算装置１６ｂは、次の（４）式を用いて第１電解コンデンサ４の温度を演算する。
【００２７】
ＴＣ１（ｎ+１）＝ＴＣ１（ｎ）−ΔｋＣ１      （４）
【００２８】
だだし、ΔｋＣ１は、第１電解コンデンサ４の温度下降値である。
【００２９】
エレベータの運転モードが休止モードの際、演算装置１６ｂは、次の（５）式を用いて第２電解コンデンサ１０の温度を演算する。
【００３０】
ＴＣ２（ｎ+１）＝ＴＣ２（ｎ）−ΔｋＣ２      （５）
【００３１】
だだし、ΔｋＣ２は、第２電解コンデンサ１０の温度下降値である。
【００３２】
エレベータの運転モードが休止モードの際、演算装置１６ｂは、次の（６）式を用いて第３電解コンデンサ１４の温度を演算する。
【００３３】
ＴＣ３（ｎ+１）＝ＴＣ３（ｎ）−ΔｋＣ３      （６）
【００３４】
だだし、ΔｋＣ３は、第３電解コンデンサ１４の温度下降値である。
【００３５】
演算装置１６ｂは、ｍ個のサンプリングデータを用いて、第１電解コンデンサ４の平均推定温度Ｔａｖｅを演算する。演算装置１６ｂは、アレニウスの式を用いて、第１電解コンデンサ４の寿命を演算する。第１電解コンデンサ４の寿命は、次の（７）式で演算される。
【００３６】
【数１】
2014234284.tif 000003
【００３７】
演算装置１６ｂは、第１電解コンデンサ４の寿命の残りを演算する。第１電解コンデンサ４の寿命の残りは、次の（８）式で演算される。
【００３８】
ＬＲＥＳＴ＝Ｌ１（ｍ）−（稼働日数）      （８）
【００３９】
演算装置１６ｂは、ｍ個のサンプリングデータを用いて、第２電解コンデンサ１０の平均推定温度Ｔａｖｅを演算する。演算装置１６ｂは、アレニウスの式を用いて、第２電解コンデンサ１０の寿命を演算する。第２電解コンデンサ１０の寿命は、次の（９）式で演算される。
【００４０】
【数２】
2014234284.tif 000004
【００４１】
演算装置１６ｂは、第２電解コンデンサ１０の寿命の残りを演算する。第２電解コンデンサ１０の寿命の残りは、次の（１０）式で演算される。
【００４２】
ＬＲＥＳＴ＝Ｌ２（ｍ）−（稼働日数）      （１０）
【００４３】
演算装置１６ｂは、ｍ個のサンプリングを用いて、第３電解コンデンサ１４の平均推定温度Ｔａｖｅを演算する。演算装置１６ｂは、アレニウスの式を用いて、第３電解コンデンサ１４の寿命を演算する。第３電解コンデンサ１４の寿命は、次の（１１）式で演算される。
【００４４】
【数３】
2014234284.tif 000005
【００４５】
演算装置１６ｂは、第３電解コンデンサ１４の寿命の残りを演算する。第３電解コンデンサ１４の寿命の残りは、次の（１２）式で演算される。
【００４６】
ＬＲＥＳＴ＝Ｌ３（ｍ）−（稼働日数）      （１２）
【００４７】
記憶装置１６ａは、第１電解コンデンサ４〜第３電解コンデンサ１４の寿命の残りを記憶する。エレベータの保守点検の周期がＮヶ月の場合、演算装置１６ｂは、次の（１３）式が成り立つか否かを判定する。
【００４８】
Ｎ＜ＬＲＥＳＴ＜２Ｎ      （１３）
【００４９】
（１３）式が成り立つ場合、演算装置１６ｂは、寿命に関する情報を表示器１６ｃに表示させる。この場合、当該表示は、その後の保守点検時に作業員に報知される。
【００５０】
演算装置１６ｂは、次の（１４）式が成り立つか否かを判定する。
【００５１】
Ｎ＞ＬＲＥＳＴ      （１４）
【００５２】
（１４）式が成り立つ場合、演算装置１６ｂは、寿命に関する情報を遠隔装置１６ｄに出力する。遠隔装置１６ｄは、図示しない保守会社に当該情報を発する。この場合、保守会社は、第１電解コンデンサ４〜第３電解コンデンサ１４のいずれかの寿命が次の保守点検時までもたないと認識する。
【００５３】
次に、図２を用いて、第１電解コンデンサ４〜第３電解コンデンサ１４の温度を説明する。
図２はこの発明の実施の形態１におけるエレベータの制御装置を利用したエレベータの第１電解コンデンサ〜第３電解コンデンサの温度を説明するための図である。図２の横軸は時間である。図２の縦軸は温度である。
【００５４】
図２の上段はエレベータの運転モードが通常運転モードの際の第１電解コンデンサ４〜第３電解コンデンサ１４の温度を示す図である。この場合、インバータ５の素子はＯＮの状態となっている。この際、インバータ５の素子の温度は、時間の経過とともに上昇する。その後、インバータ５の素子の温度は、ほぼ一定となる。
【００５５】
第１電解コンデンサ４の温度は、インバータ５の素子の温度に追従して上昇する。その後、第１電解コンデンサ４の温度は、ほぼ一定値となる。第２電解コンデンサ１０の温度は、インバータ５の素子の温度に追従して上昇する。その後、第２電解コンデンサ１０の温度は、ほぼ一定値となる。第３電解コンデンサ１４の温度は、インバータ５の素子の温度に追従して上昇する。その後、第３電解コンデンサ１４の温度は、ほぼ一定値となる。
【００５６】
例えば、インバータ５の素子の温度は、時刻ｔｎから時刻ｔｎ＋１までの間にΔｋｔだけ上昇する。第１電解コンデンサ４の温度は、時刻ｔｎから時刻ｔｎ＋１までの間にΔｋｃ１だけ上昇する。
【００５７】
図２の下段はエレベータの運転モードが休止モードの際の第１電解コンデンサ４〜第３電解コンデンサ１４の温度を示す図である。この場合、この際、インバータ５の素子の温度は、時間の経過とともに下降する。その後、インバータ５の素子の温度は、ほぼ一定となる。
【００５８】
第１電解コンデンサ４の温度は、インバータ５の素子の温度に追従して下降する。その後、第１電解コンデンサ４の温度は、ほぼ一定値となる。第２電解コンデンサ１０の温度は、インバータ５の素子の温度に追従して下降する。その後、第２電解コンデンサ１０の温度は、ほぼ一定値となる。第３電解コンデンサ１４の温度は、インバータ５の素子の温度に追従して下降する。その後、第３電解コンデンサ１４の温度は、ほぼ一定値となる。
【００５９】
例えば、インバータ５の素子の温度は、時刻ｔｎから時刻ｔｎ＋１までの間にΔｋｔだけ下降する。第１電解コンデンサ４の温度は、時刻ｔｎから時刻ｔｎ＋１までの間にΔｋＣ１だけ下降する。
【００６０】
次に、図３を用いて、記憶装置１６ａに記憶された温度テーブルを説明する。
図３はこの発明の実施の形態１におけるエレベータの制御装置に記憶された温度テーブルを説明するための図である。
【００６１】
図３の上段はエレベータの運転モードが通常運転モードの際の温度テーブルである。図３の上段に示すように、第１電解コンデンサ４の温度上昇値ΔｋＣ１は、インバータ５の素子の温度上昇値Δｋｔに対応付けられる。第２電解コンデンサ１０の温度上昇値ΔｋＣ２は、インバータ５の素子の温度上昇値Δｋｔに対応付けられる。第３電解コンデンサ１４の温度上昇値ΔｋＣ３は、インバータ５の素子の温度上昇値Δｋｔに対応付けられる。この際、Δｋｔは、ΔｋＣ１、ΔｋＣ２、ΔｋＣ３よりも大きい。これらの値は、エレベータの運転モードを通常運転モードにした状態で予め測定される。
【００６２】
図３の下段はエレベータの運転モードが休止モードの際の温度テーブルである。図３の下段に示すように、第１電解コンデンサ４の温度下降値ΔｋＣ１は、インバータ５の素子の温度下降値Δｋｔに対応付けられる。第２電解コンデンサ１０の温度下降値ΔｋＣ２は、インバータ５の素子の温度下降値Δｋｔに対応付けられる。第３電解コンデンサ１４の温度下降値ΔｋＣ３は、インバータ５の素子の温度下降値Δｋｔに対応付けられる。この際、この際、Δｋｔは、ΔｋＣ１、ΔｋＣ２、ΔｋＣ３よりも大きい。エレベータの運転モードを休止モードにした状態で予め測定される。
【００６３】
以上で説明した実施の形態１によれば、インバータ５の素子の温度に基づいて、第１電解コンデンサ４〜第３電解コンデンサ１４の寿命が演算される。この際、インバータ５の温度は、既設の温度センサ１５によって検出される。このため、第１電解コンデンサ４〜第３電解コンデンサ１４の近傍に温度センサを新たに設けることなく、第１電解コンデンサ４〜第３電解コンデンサ１４の寿命を監視することができる。当該監視により、第１電解コンデンサ４〜第３電解コンデンサ１４の寿命が尽きる前に第１電解コンデンサ４〜第３電解コンデンサ１４を交換することができる。当該交換により、第１電解コンデンサ４〜第３電解コンデンサ１４の劣化による電力の遮断を防止できる。当該防止により、利用者がかご内に閉じ込められることを防止できる。
【００６４】
この際、エレベータの運転モードも考慮される。このため、第１電解コンデンサ４〜第３電解コンデンサ１４の寿命をより正確に監視することができる。
【００６５】
また、第１電解コンデンサ４〜第３電解コンデンサ１４の温度は記憶テーブルから抽出される。このため、複雑な演算をすることなく、第１電解コンデンサ４〜第３電解コンデンサ１４の温度を得ることができる。
【００６６】
実施の形態２．
図４はこの発明の実施の形態２におけるエレベータの制御装置に記憶された温度テーブルを説明するための図である。なお、実施の形態１と同一又は相当部分には同一符号を付して説明を省略する。
【００６７】
実施の形態１の演算装置１６ｂは、負荷Ａ８、負荷Ｂ９、負荷α１２、負荷β１３を考慮しない。一方、実施の形態２の演算装置１６ｂは、負荷Ａ８、負荷Ｂ９、負荷α１２、負荷β１３を考慮する。
【００６８】
図４の第１段は負荷Ａ８がオプションとして適用された際の温度テーブルである。図４の第１段に示すように、標準仕様の際の第２電解コンデンサ１０の温度上昇値ΔｋＣ２は、インバータ５の素子の温度上昇値Δｋｔに対応付けられる。負荷Ａ８が適用された際の補正値は、インバータ５の素子の温度上昇値Δｋｔに対応付けられる。補正後の第２電解コンデンサ１０の温度上昇値ΔｋＣ２は、インバータ５の素子の温度上昇値Δｋｔに対応付けられる。補正後の第２電解コンデンサ１０の温度上昇値ΔｋＣ２は、標準仕様の際の第２電解コンデンサ１０の温度上昇値ΔｋＣ２に負荷Ａ８が適用された際の補正値を加えることにより演算される。
【００６９】
図４の第２段は負荷Ｂ９がオプションとして適用された際の温度テーブルである。図４の第２段に示すように、標準仕様の際の第２電解コンデンサ１０の温度上昇値ΔｋＣ２は、インバータ５の素子の温度上昇値Δｋｔに対応付けられる。負荷Ｂ９が適用された際の補正値は、インバータ５の素子の温度上昇値Δｋｔに対応付けられる。補正後の第２電解コンデンサ１０の温度上昇値ΔｋＣ２は、インバータ５の素子の温度上昇値Δｋｔに対応付けられる。補正後の第２電解コンデンサ１０の温度上昇値ΔｋＣ２は、標準仕様の際の第２電解コンデンサ１０の温度上昇値ΔｋＣ２に負荷Ｂ９が適用された際の補正値を加えることにより演算される。
【００７０】
図４の第３段は負荷α１２がオプションとして適用された際の温度テーブルである。図４の第３段に示すように、標準仕様の際の第３電解コンデンサ１４の温度上昇値ΔｋＣ３は、インバータ５の素子の温度上昇値Δｋｔに対応付けられる。負荷α１２が適用された際の補正値は、インバータ５の素子の温度上昇値Δｋｔに対応付けられる。補正後の第３電解コンデンサ１４の温度上昇値ΔｋＣ３は、インバータ５の素子の温度上昇値Δｋｔに対応付けられる。第２電解コンデンサ１０の温度上昇値ΔｋＣ３は、標準仕様の際の第３電解コンデンサ１４の温度上昇値ΔｋＣ３に負荷α１２が適用された際の補正値を加えることにより演算される。
【００７１】
図４の第４段は負荷β１３がオプションとして適用された際の温度テーブルである。図４の第４段に示すように、標準仕様の際の第３電解コンデンサ１４の温度上昇値ΔｋＣ３は、インバータ５の素子の温度上昇値Δｋｔに対応付けられる。負荷βが適用された際の補正値は、インバータ５の素子の温度上昇値Δｋｔに対応付けられる。補正後の第３電解コンデンサ１４の温度上昇値ΔｋＣ３は、インバータ５の素子の温度上昇値Δｋｔに対応付けられる。第３電解コンデンサ１４の温度上昇値ΔｋＣ３は、標準仕様の際の第３電解コンデンサ１４の温度上昇値ΔｋＣ３に負荷β１３が適用された際の補正値を加えることにより演算される。
【００７２】
以上で説明した実施の形態２によれば、負荷Ａ８、負荷Ｂ９、負荷α１２、負荷β１３の状態に基づいて、第１電解コンデンサ４〜第３電解コンデンサ１４の温度が正確に補正される。このため、第１電解コンデンサ４〜第３電解コンデンサ１４の寿命をより正確に監視することができる。
【００７３】
実施の形態３．
図５はこの発明の実施の形態３におけるエレベータの制御装置を利用したエレベータの構成部である。なお、実施の形態１と同一又は相当部分には同一符号を付して説明を省略する。
【００７４】
図５に示すように、実施の形態３においては、停電灯１７が設けられる。停電灯１７には、停電制御回路１８が接続される。停電制御回路１８は、演算装置１６ｂに接続する。停電発生時において、停電制御回路１８は、停電灯１７等を制御する。
【００７５】
この際、停電制御回路１８は、カウンター機能を用いて、停電発生から復帰までの時間ΔＴを計測する。停電制御回路１８は、時間ΔＴに関する情報を演算装置１６ｂに出力する。
【００７６】
演算装置１６ｂは、復帰時の第１電解コンデンサ４の温度を演算する。第１電解コンデンサ４は、次の（１５）式で演算される。
【００７７】
ＴＣ１（ｎ+１）＝ＴＣ１（ｎ）−ΔｋＣ１      （１５）
【００７８】
演算装置１６ｂは、復帰時の第２電解コンデンサ１０の温度を演算する。第２電解コンデンサ１０は、次の（１６）式で演算される。
【００７９】
ＴＣ２（ｎ+１）＝ＴＣ２（ｎ）−ΔｋＣ２      （１６）
【００８０】
演算装置１６ｂは、復帰時の第３電解コンデンサ１４の温度を演算する。第３電解コンデンサ１４は、次の（１７）式で演算される。
【００８１】
ＴＣ３（ｎ+１）＝ＴＣ３（ｎ）−ΔｋＣ３      （１７）
【００８２】
次に、図６を用いて、第１電解コンデンサ４〜第３電解コンデンサ１４の温度を説明する。
図６はこの発明の実施の形態３におけるエレベータの制御装置を利用したエレベータの第１電解コンデンサ〜第３電解コンデンサの温度を説明するための図である。図６の横軸は時間である。図６の縦軸は温度である。
【００８３】
図６の上段は停電直前時においてインバータ５の素子の温度ｋｔが第１電解コンデンサ４の温度ｋｃ１、第２電解コンデンサ１０の温度ｋｃ２、第３電解コンデンサ１４の温度ｋｃ３よりも高い場合を示す図である。図６の下段は停電直前時においてインバータ５の素子の温度ｋｔが第１電解コンデンサ４の温度ｋｃ１、第２電解コンデンサ１０の温度ｋｃ２、第３電解コンデンサ１４の温度ｋｃ３よりも低い場合を示す図である。
【００８４】
停電が発生した際、インバータ５の素子の温度ｋｔは、時間の経過とともに下降する。第１電解コンデンサ４の温度は、インバータ５の素子の温度ｋｔに追従して下降する。第２電解コンデンサ１０の温度は、インバータ５の素子の温度ｋｔに追従して下降する。第３電解コンデンサ１４の温度は、インバータ５の素子の温度ｋｔに追従して下降する。
【００８５】
次に、図７を用いて、温度テーブルを説明する。
図７はこの発明の実施の形態３におけるエレベータの制御装置に記憶された温度テーブルを説明するための図である。
【００８６】
図７の上段は停電直前時においてインバータ５の素子の温度ｋｔが第１電解コンデンサ４の温度ｋｃ１、第２電解コンデンサ１０の温度ｋｃ２、第３電解コンデンサ１４の温度ｋｃ３よりも高い場合の温度テーブルである。図７の下段は停電直前時においてインバータ５の素子の温度ｋｔが第１電解コンデンサ４の温度ｋｃ１、第２電解コンデンサ１０の温度ｋｃ２、第３電解コンデンサ１４の温度ｋｃ３よりも低い場合の温度テーブルである。
【００８７】
図７に示すように、第１電解コンデンサ４の温度上昇値ΔｋＣ１は、停電発生から復帰までの時間ΔＴに対応付けられる。第２電解コンデンサ１０の温度上昇値ΔｋＣ２は、停電発生から復帰までの時間ΔＴに対応付けられる。第３電解コンデンサ１４の温度上昇値ΔｋＣ３は、停電発生から復帰までの時間ΔＴに対応付けられる。
【００８８】
以上で説明した実施の形態３によれば、停電発生時から復帰までの時間に基づいて、復帰時の第１電解コンデンサ４〜第３電解コンデンサ１４の温度が正確に補正される。このため、停電が発生した場合でも、第１電解コンデンサ４〜第３電解コンデンサ１４の寿命を正確に監視することができる。
【符号の説明】
【００８９】
１  商用電源、  ２  コンバータ、  ３  直流母線、  ４  第１電解コンデンサ、  ５  インバータ、  ６  電動機、  ７  第１制御電源、  ８  負荷Ａ、  ９  負荷Ｂ、１０  第２電解コンデンサ、  １１  第２制御電源、  １２  負荷α、  １３  負荷β、  １４  第３電解コンデンサ、１５  温度センサ、  １６  制御装置、  １６ａ  記憶装置、  １６ｂ  演算装置、  １６ｃ  表示器、  １６ｄ  遠隔装置、  １７  停電灯、  １８  停電制御回路
【図１】
2014234284.tif 000006
【図２】
2014234284.tif 000007
【図３】
2014234284.tif 000008
【図４】
2014234284.tif 000009
【図５】
2014234284.tif 000010
【図６】
2014234284.tif 000011
【図７】
2014234284.tif 000012